(57)【要約】【課題】カメラを安定して回転させることができ、組立が簡単な携帯端末機を提供する。【解決手段】携帯端末機は、端末機本体と、端末機本体に装着されるカメラアセンブリとを含み、カメラアセンブリは、カメラと、カメラを回転させる駆動力を発生する駆動部と、カメラと駆動部とを一体に組立できるように、カメラを回転可能に支持して駆動部を固定し、端末機本体に締結されるハウジングとを含む。カメラは、端末機本体の前方又は後方を向くように回転可能に設けられ得る。【選択図】図４
2007028626.tif 000002
【特許請求の範囲】
【請求項１】
端末機本体と、前記端末機本体に装着されるカメラアセンブリとを含み、
前記カメラアセンブリは、
カメラと、
前記カメラを回転させる駆動力を発生する駆動部と、
前記カメラと前記駆動部とを一体に組立できるように、前記カメラを回転可能に支持して前記駆動部を固定し、前記端末機本体に締結されるハウジングとを含むことを特徴とする携帯端末機。
【請求項２】
前記カメラが、前記端末機本体の前方又は後方を向くように回転可能に設けられることを特徴とする請求項１に記載の携帯端末機。
【請求項３】
前記カメラが、前記端末機本体に設けられるキーボタンの操作により回転することを特徴とする請求項２に記載の携帯端末機。
【請求項４】
前記ハウジングに、前記カメラの回転空間を提供する第１収容部と、前記駆動部を収容する第２収容部とが形成されることを特徴とする請求項１に記載の携帯端末機。
【請求項５】
前記第１収容部は、前記レンズがその回転した位置によって外部に露出するように、前後両方向に開口していることを特徴とする請求項４に記載の携帯端末機。
【請求項６】
前記第１収容部の両端には、前記カメラの両側にそれぞれ形成される第１シャフト及び第２シャフトをそれぞれ回転可能に支持する第１シャフト支持部及び第２シャフト支持部がそれぞれ形成されることを特徴とする請求項４に記載の携帯端末機。
【請求項７】
前記第２収容部が、前記第１収容部と連通するように形成されることを特徴とする請求項６に記載の携帯端末機。
【請求項８】
前記カメラの第１シャフトの端部に、前記駆動部の回転軸が連結される連結溝部が形成されることを特徴とする請求項６に記載の携帯端末機。
【請求項９】
前記連結溝部と前記駆動部の回転軸との間に設けられ、前記連結溝部の磨耗を防止する磨耗防止部材をさらに含むことを特徴とする請求項８に記載の携帯端末機。
【請求項１０】
前記カメラの第１シャフトと前記駆動部との間に形成され、前記カメラを一定の回転角度で回転させるための回転制限部をさらに含むことを特徴とする請求項６に記載の携帯端末機。
【請求項１１】
前記回転制限部は、
前記第１シャフトに円弧状に形成されるレール溝部と、
前記ハウジングに突設されて前記レール溝部の両端が係止されて停止する停止突起と、
から構成されることを特徴とする請求項１０に記載の携帯端末機。
【請求項１２】
前記レール溝部の両端に形成され、前記停止突起の衝撃を緩和させる緩衝部材をさらに含むことを特徴とする請求項１１に記載の携帯端末機。
【請求項１３】
前記第２シャフトに、前記カメラの回転時、巻かれたり解かれたりし、前記カメラを前記端末機本体に設けられる回路基板に接続するフレキシブルプリント基板が備えられることを特徴とする請求項６に記載の携帯端末機。
【請求項１４】
前記第２シャフトに形成され、前記フレキシブルプリント基板の内輪部分が巻かれないようにする巻き制限部をさらに含むことを特徴とする請求項１３に記載の携帯端末機。
【請求項１５】
前記巻き制限部は、前記フレキシブルプリント基板の内輪部分が所定長さのループ状に挟まれて固定されるように、
前記第２シャフトに形成される巻き軸と、
前記巻き軸の一側に狭い間隔をおいて配置される加圧突起と、
から構成されることを特徴とする請求項１４に記載の携帯端末機。
【請求項１６】
前記駆動部が、電動モータであることを特徴とする請求項１に記載の携帯端末機。
【請求項１７】
第１本体と、前記第１本体の後方にスライド可能に連結される第２本体と、前記第１本体及び前記第２本体の少なくとも一方に設けられ、前記第１本体のスライド方向によって前方又は後方に開放されるカメラアセンブリとを含み、
前記カメラアセンブリは、
カメラと、
前記カメラを回転させる駆動力を発生する駆動部と、
前記カメラと前記駆動部とを一体に組立できるように、前記カメラを回転可能に支持して前記駆動部を固定し、前記第１本体又は前記第２本体のいずれか一方に締結されるハウジングとを含むことを特徴とする携帯端末機。
【請求項１８】
前記第１本体が、前記第２本体からスライドダウンして前記第２本体を開放させるタイプに形成され、前記カメラアセンブリが、前記第２本体の上端に位置することを特徴とする請求項１７に記載の携帯端末機。
【請求項１９】
前記カメラは、前記第２本体が開くと、前方を向くように回転し、前記第２本体が閉じると、後方を向くように回転することを特徴とする請求項１８に記載の携帯端末機。
【請求項２０】
前記第１本体が、前記第２本体からスライドアップして前記第２本体を開放させるタイプに形成され、前記カメラアセンブリが、前記第１本体の上端に位置することを特徴とする請求項１７に記載の携帯端末機。
【請求項２１】
前記カメラは、前記第２本体が開くと、後方を向くように回転し、前記第２本体が閉じると、前方を向くように回転することを特徴とする請求項１７に記載の携帯端末機。
【請求項２２】
前記カメラが、前記第１本体及び前記第２本体の少なくとも一方に設けられるキーボタンの操作により回転することを特徴とする請求項１７に記載の携帯端末機。
【請求項２３】
前記ハウジングに、前記カメラの回転空間を提供する第１収容部と、前記駆動部を収容する第２収容部とが形成されることを特徴とする請求項１７に記載の携帯端末機。
【請求項２４】
前記第１収容部は、前記レンズがその回転角によって外部に露出するように、前後両方向に開口していることを特徴とする請求項２３に記載の携帯端末機。
【請求項２５】
前記第１収容部の両端には、前記カメラの両側にそれぞれ形成される第１シャフト及び第２シャフトをそれぞれ回転可能に支持する第１シャフト支持部及び第２シャフト支持部がそれぞれ形成されることを特徴とする請求項２３に記載の携帯端末機。
【請求項２６】
前記第２収容部が、前記第１収容部と連通するように形成されることを特徴とする請求項２５に記載の携帯端末機。
【請求項２７】
前記カメラの第１シャフトの端部に、前記駆動部の回転軸が連結される連結溝部が形成されることを特徴とする請求項２５に記載の携帯端末機。
【請求項２８】
前記連結溝部と前記駆動部の回転軸との間に設けられ、前記連結溝部の磨耗を防止する磨耗防止部材をさらに含むことを特徴とする請求項２７に記載の携帯端末機。
【請求項２９】
前記カメラの第１シャフトと前記駆動部との間に形成され、前記カメラを一定の回転角度で回転させるための回転制限部をさらに含むことを特徴とする請求項２５に記載の携帯端末機。
【請求項３０】
前記回転制限部は、
前記第１シャフトに円弧状に形成されるレール溝部と、
前記ハウジングに突設されて前記レール溝部の両端が係止されて停止する停止突起と、
から構成されることを特徴とする請求項２９に記載の携帯端末機。
【請求項３１】
前記レール溝部の両端に形成され、前記停止突起の衝撃を緩和させる緩衝部材をさらに含むことを特徴とする請求項３０に記載の携帯端末機。
【請求項３２】
前記第２シャフトに、前記カメラの回転時、巻かれたり解かれたりし、前記カメラを回路基板に接続するフレキシブルプリント基板が備えられることを特徴とする請求項２５に記載の携帯端末機。
【請求項３３】
前記第２シャフトに形成され、前記フレキシブルプリント基板の内輪部分が巻かれないようにする巻き制限部をさらに含むことを特徴とする請求項３２に記載の携帯端末機。
【請求項３４】
前記巻き制限部は、前記フレキシブルプリント基板の内輪部分が所定長さのループ状に挟まれて固定されるように、
前記第２シャフトに形成される巻き軸と、
前記巻き軸の一側に狭い間隔をおいて配置される加圧突起と、
から構成されることを特徴とする請求項３３に記載の携帯端末機。
【請求項３５】
前記駆動部が、電動モータであることを特徴とする請求項１７に記載の携帯端末機。
【発明の詳細な説明】
【技術分野】
【０００１】
本発明は、携帯端末機に関し、特に、回転可能なカメラが装着された携帯端末機に関する。
【背景技術】
【０００２】
携帯電話機やＰＤＡなどを含む携帯端末機は、ユーザが移動中に無線送受信や情報の閲覧又は処理を行えるようにする携帯用電子機器の１つである。
【０００３】
近年、携帯端末機は、移動通信機能だけでなく、写真や動画像を撮影するためのデジタルカメラを搭載することにより、携帯端末機を利用して、直接マルチメディアを生産し、これを鑑賞又は処理できるようになった。
【０００４】
このような従来の携帯端末機の一例を図１１に示す。図１１は従来の携帯端末機の斜視図である。
【０００５】
図１１に示すように、従来の携帯端末機は、本体部１０と、本体部１０に折り畳み可能に連結される蓋部２０とを備えている。
【０００６】
本体部１０の前面には、制御信号を入力するためのキーパッド１１及び音声信号を送信するためのマイク１２が設けられており、蓋部２０の折り畳まれる内側面には、視覚情報を出力するディスプレイ２１及び音声信号を出力するレシーバ２２が設けられている。
【０００７】
本体部１０と蓋部２０とが折り畳まれるように、本体部１０の上端と蓋部２０の下端とはヒンジ部３０により連結されており、ヒンジ部３０は、本体部１０の上端の両側から延びた一対の下部ヒンジ３１、３２と、蓋部２０の下端から下部ヒンジ３１と下部ヒンジ３２との間に延び下部ヒンジ３１、３２に連結される上部ヒンジ３３とから構成される。
【０００８】
また、ヒンジ部３０の一側、すなわち、下部ヒンジ３１には、ヒンジ部３０の回転とは別に回転できるようにカメラ４０が設けられている。
【０００９】
さらに、カメラ４０の外周には、つまみ４１が備えられており、ユーザはつまみ４１をつまんで操作することによりカメラレンズ４２の方向を調節できる。
【発明の開示】
【発明が解決しようとする課題】
【００１０】
しかし、このような従来の携帯端末機においては、つまみ４１をつまんで回す過程でカメラレンズ４２が汚染されやすいだけでなく、カメラ４０の回転方向とは異なる方向にカメラ４０を回すか、カメラ４０を回す力が大きすぎる場合、カメラ４０を支持する下部ヒンジ３１部分に隙間ができてカメラ４０が揺れたり故障する恐れがあるという問題があった。
【００１１】
また、毎回カメラ４０を手動で回さなければならないため不便であるという問題があった。
【００１２】
本発明は、このような従来技術の問題を解決するためになされたもので、カメラを安定して回転させることができ、組立が簡単な携帯端末機を提供することを目的とする。
【００１３】
本発明の他の目的は、カメラに回転力が伝達されたときに部品が磨耗したり揺れることを防止することにある。
【００１４】
本発明のさらに他の目的は、カメラの回転時、カメラを接続する部品であるフレキシブルプリント基板などのコネクタが動くことによって、クラックが発生したり互いに干渉することを防止することにある。
【００１５】
このようにして、自動でカメラを前後方に回転させることにより、ユーザの便宜を図る。
【課題を解決するための手段】
【００１６】
このような目的を達成するために、本発明は、端末機本体と、前記端末機本体に装着されるカメラアセンブリとを含み、前記カメラアセンブリは、カメラと、前記カメラを回転させる駆動力を発生する駆動部と、前記カメラと前記駆動部とを一体に組立できるように、前記カメラを回転可能に支持して前記駆動部を固定し、前記端末機本体に締結されるハウジングとを含むことを特徴とする携帯端末機を提供する。
【００１７】
また、本発明は、第１本体と、前記第１本体の後方にスライド可能に連結される第２本体と、前記第１本体及び前記第２本体の少なくとも一方に設けられ、前記第１本体のスライド方向によって前方又は後方に開放されるカメラアセンブリとを含み、前記カメラアセンブリは、カメラと、前記カメラを回転させる駆動力を発生する駆動部と、前記カメラと前記駆動部とを一体に組立できるように、前記カメラを回転可能に支持して前記駆動部を固定し、前記第１本体又は前記第２本体のいずれか一方に締結されるハウジングとを含むことを特徴とする携帯端末機を提供する。
【００１８】
上記目的を達成するために、本発明は、例えば、以下の手段を提供する。
【００１９】
（項目１）
端末機本体と、上記端末機本体に装着されるカメラアセンブリとを含み、
上記カメラアセンブリは、
カメラと、
上記カメラを回転させる駆動力を発生する駆動部と、
上記カメラと上記駆動部とを一体に組立できるように、上記カメラを回転可能に支持して上記駆動部を固定し、上記端末機本体に締結されるハウジングとを含むことを特徴とする携帯端末機。
【００２０】
（項目２）
上記カメラが、上記端末機本体の前方又は後方を向くように回転可能に設けられることを特徴とする項目１に記載の携帯端末機。
【００２１】
（項目３）
上記カメラが、上記端末機本体に設けられるキーボタンの操作により回転することを特徴とする項目２に記載の携帯端末機。
【００２２】
（項目４）
上記ハウジングに、上記カメラの回転空間を提供する第１収容部と、上記駆動部を収容する第２収容部とが形成されることを特徴とする項目１に記載の携帯端末機。
【００２３】
（項目５）
上記第１収容部は、上記レンズがその回転した位置によって外部に露出するように、前後両方向に開口していることを特徴とする項目４に記載の携帯端末機。
【００２４】
（項目６）
上記第１収容部の両端には、上記カメラの両側にそれぞれ形成される第１シャフト及び第２シャフトをそれぞれ回転可能に支持する第１シャフト支持部及び第２シャフト支持部がそれぞれ形成されることを特徴とする項目４に記載の携帯端末機。
【００２５】
（項目７）
上記第２収容部が、上記第１収容部と連通するように形成されることを特徴とする項目６に記載の携帯端末機。
【００２６】
（項目８）
上記カメラの第１シャフトの端部に、上記駆動部の回転軸が連結される連結溝部が形成されることを特徴とする項目６に記載の携帯端末機。
【００２７】
（項目９）
上記連結溝部と上記駆動部の回転軸との間に設けられ、上記連結溝部の磨耗を防止する磨耗防止部材をさらに含むことを特徴とする項目８に記載の携帯端末機。
【００２８】
（項目１０）
上記カメラの第１シャフトと上記駆動部との間に形成され、上記カメラを一定の回転角度で回転させるための回転制限部をさらに含むことを特徴とする項目６に記載の携帯端末機。
【００２９】
（項目１１）
上記回転制限部は、
上記第１シャフトに円弧状に形成されるレール溝部と、
上記ハウジングに突設されて上記レール溝部の両端が係止されて停止する停止突起と、
から構成されることを特徴とする項目１０に記載の携帯端末機。
【００３０】
（項目１２）
上記レール溝部の両端に形成され、上記停止突起の衝撃を緩和させる緩衝部材をさらに含むことを特徴とする項目１１に記載の携帯端末機。
【００３１】
（項目１３）
上記第２シャフトに、上記カメラの回転時、巻かれたり解かれたりし、上記カメラを上記端末機本体に設けられる回路基板に接続するフレキシブルプリント基板が備えられることを特徴とする項目６に記載の携帯端末機。
【００３２】
（項目１４）
上記第２シャフトに形成され、上記フレキシブルプリント基板の内輪部分が巻かれないようにする巻き制限部をさらに含むことを特徴とする項目１３に記載の携帯端末機。
【００３３】
（項目１５）
上記巻き制限部は、上記フレキシブルプリント基板の内輪部分が所定長さのループ状に挟まれて固定されるように、
上記第２シャフトに形成される巻き軸と、
上記巻き軸の一側に狭い間隔をおいて配置される加圧突起と、
から構成されることを特徴とする項目１４に記載の携帯端末機。
【００３４】
（項目１６）
上記駆動部が、電動モータであることを特徴とする項目１に記載の携帯端末機。
【００３５】
（項目１７）
第１本体と、上記第１本体の後方にスライド可能に連結される第２本体と、上記第１本体及び上記第２本体の少なくとも一方に設けられ、上記第１本体のスライド方向によって前方又は後方に開放されるカメラアセンブリとを含み、
上記カメラアセンブリは、
カメラと、
上記カメラを回転させる駆動力を発生する駆動部と、
上記カメラと上記駆動部とを一体に組立できるように、上記カメラを回転可能に支持して上記駆動部を固定し、上記第１本体又は上記第２本体のいずれか一方に締結されるハウジングとを含むことを特徴とする携帯端末機。
【００３６】
（項目１８）
上記第１本体が、上記第２本体からスライドダウンして上記第２本体を開放させるタイプに形成され、上記カメラアセンブリが、上記第２本体の上端に位置することを特徴とする項目１７に記載の携帯端末機。
【００３７】
（項目１９）
上記カメラは、上記第２本体が開くと、前方を向くように回転し、上記第２本体が閉じると、後方を向くように回転することを特徴とする項目１８に記載の携帯端末機。
【００３８】
（項目２０）
上記第１本体が、上記第２本体からスライドアップして上記第２本体を開放させるタイプに形成され、上記カメラアセンブリが、上記第１本体の上端に位置することを特徴とする項目１７に記載の携帯端末機。
【００３９】
（項目２１）
上記カメラは、上記第２本体が開くと、後方を向くように回転し、上記第２本体が閉じると、前方を向くように回転することを特徴とする項目１７に記載の携帯端末機。
【００４０】
（項目２２）
上記カメラが、上記第１本体及び上記第２本体の少なくとも一方に設けられるキーボタンの操作により回転することを特徴とする項目１７に記載の携帯端末機。
【００４１】
（項目２３）
上記ハウジングに、上記カメラの回転空間を提供する第１収容部と、上記駆動部を収容する第２収容部とが形成されることを特徴とする項目１７に記載の携帯端末機。
【００４２】
（項目２４）
上記第１収容部は、上記レンズがその回転角によって外部に露出するように、前後両方向に開口していることを特徴とする項目２３に記載の携帯端末機。
【００４３】
（項目２５）
上記第１収容部の両端には、上記カメラの両側にそれぞれ形成される第１シャフト及び第２シャフトをそれぞれ回転可能に支持する第１シャフト支持部及び第２シャフト支持部がそれぞれ形成されることを特徴とする項目２３に記載の携帯端末機。
【００４４】
（項目２６）
上記第２収容部が、上記第１収容部と連通するように形成されることを特徴とする項目２５に記載の携帯端末機。
【００４５】
（項目２７）
上記カメラの第１シャフトの端部に、上記駆動部の回転軸が連結される連結溝部が形成されることを特徴とする項目２５に記載の携帯端末機。
【００４６】
（項目２８）
上記連結溝部と上記駆動部の回転軸との間に設けられ、上記連結溝部の磨耗を防止する磨耗防止部材をさらに含むことを特徴とする項目２７に記載の携帯端末機。
【００４７】
（項目２９）
上記カメラの第１シャフトと上記駆動部との間に形成され、上記カメラを一定の回転角度で回転させるための回転制限部をさらに含むことを特徴とする項目２５に記載の携帯端末機。
【００４８】
（項目３０）
上記回転制限部は、
上記第１シャフトに円弧状に形成されるレール溝部と、
上記ハウジングに突設されて上記レール溝部の両端が係止されて停止する停止突起と、
から構成されることを特徴とする項目２９に記載の携帯端末機。
【００４９】
（項目３１）
上記レール溝部の両端に形成され、上記停止突起の衝撃を緩和させる緩衝部材をさらに含むことを特徴とする項目３０に記載の携帯端末機。
【００５０】
（項目３２）
上記第２シャフトに、上記カメラの回転時、巻かれたり解かれたりし、上記カメラを回路基板に接続するフレキシブルプリント基板が備えられることを特徴とする項目２５に記載の携帯端末機。
【００５１】
（項目３３）
上記第２シャフトに形成され、上記フレキシブルプリント基板の内輪部分が巻かれないようにする巻き制限部をさらに含むことを特徴とする項目３２に記載の携帯端末機。
【００５２】
（項目３４）
上記巻き制限部は、上記フレキシブルプリント基板の内輪部分が所定長さのループ状に挟まれて固定されるように、
上記第２シャフトに形成される巻き軸と、
上記巻き軸の一側に狭い間隔をおいて配置される加圧突起と、
から構成されることを特徴とする項目３３に記載の携帯端末機。
【００５３】
（項目３５）
上記駆動部が、電動モータであることを特徴とする項目１７に記載の携帯端末機。
【発明の効果】
【００５４】
本発明によれば、ハウジングが、カメラと駆動部とを一体に組立できるように、カメラを回転可能に支持して駆動部を固定し、第２本体に締結されるため、前記カメラ及び前記駆動部が前記ハウジング内で安定して支持されるだけでなく、装着が容易であるという効果がある。
【００５５】
また、回転角度制限部により前記カメラの回転角度を確実に制限でき、さらには、緩衝部材により前記カメラの損傷を防止できる。
【００５６】
さらに、磨耗防止部材は、前記駆動部の回転軸が回転する過程で前記カメラとの連結部位が磨耗することを防止し、回転力を正確に伝達できるようにする。
【００５７】
さらに、第２シャフトに設けられた巻き制限部は、フレキシブルプリント基板の内輪部分が所定長さのループ状に挟まれて固定されるようにするため、前記フレキシブルプリント基板の進行方向が９０°変換される地点で集中的な反復回転によりクラックが発生することを防止できるだけでなく、前記フレキシブルプリント基板間に干渉が発生することを防止できる。
【発明を実施するための最良の形態】
【００５８】
以下、添付された図面を参照して本発明の好ましい実施形態を説明する。
【００５９】
以下の実施形態においては、スライドタイプ及びストレートタイプの携帯端末機を例に挙げているが、本発明は、折り畳みタイプなど他のタイプの端末機にも適用できる。
【００６０】
図１は本発明の第１実施形態による携帯端末機の斜視図である。
【００６１】
図１に示すように、携帯端末機１００は、第１本体１１０と、第１本体１１０の後方にスライド可能に連結される第２本体１２０と、第２本体１２０に設けられ、第１本体１１０のスライド方向によって前方又は後方に開放されるカメラアセンブリ１５０とを備えている。
【００６２】
第１本体１１０は、第２本体１２０からスライドダウンして第２本体１２０を開放させるようになっている。また、カメラアセンブリ１５０は、第２本体１２０の上端に位置している。
【００６３】
カメラアセンブリ１５０の内部には、カメラ１６０が設けられるが、カメラ１６０は、第１本体１１０がスライドダウンして第２本体１２０が開くと、第２本体１２０の前面に形成された開口１２３を向くように回転し、第１本体１１０がスライドアップして第２本体１２０が閉じると、第２本体１２０の背面に形成された開口１３３を向くように回転可能に設けられている。
【００６４】
第１本体１１０の前面には、視覚情報を表示するディスプレイ１１３と、制御信号を入力するためのキーパッド１１７と、音声信号を出力するレシーバ１１５とが備えられる。また、第２本体１２０の背面には、端末機１００に電源を供給するバッテリ１３５が装着される。
【００６５】
カメラアセンブリ１５０は、第２本体１２０の上部に配設されており、第１本体１１０が第２本体１２０からスライドダウンして第２本体１２０が開状態にある場合、カメラアセンブリ１５０も、第２本体１２０の前面に形成された開口１２３から外部に露出する。
【００６６】
図２は図１のカメラアセンブリのカメラが後方を向いた状態を示す背面斜視図である。
【００６７】
図２に示すように、図１の状態で第１本体１１０がスライドアップして第２本体１２０が閉状態になると、カメラアセンブリ１５０のカメラレンズ１６１も回転して、第２本体１２０の背面に形成された開口１３３側に位置する。
【００６８】
図３は図１の第２本体のカメラアセンブリ領域の分離斜視図である。
【００６９】
図３に示すように、第２本体１２０は、カメラアセンブリ１５０のカメラレンズ１６１が外部に露出するように、それぞれ開口１２３、１３３が形成されたフロントケース１２２とリアケース１３２とにより組み立てられている。
【００７０】
フロントケース１２２及びリアケース１３２の内部には、上部に開口１４２が形成され、端末機の多様な機能を行う回路基板１４１が設けられている。開口１４２の周辺には、カメラアセンブリ１５０を締結できるように、複数の締結孔１４３が形成されている。
【００７１】
カメラアセンブリ１５０周辺の一側には、カメラアセンブリ１５０をリアケース１３２に１次固定するための１次固定用締結孔１５３が形成される。また、カメラアセンブリ１５０周辺の他側には、リアケース１３２に１次固定されたカメラアセンブリ１５０をフロントケース１２２及びリアケース１３２に２次固定するための２次固定用締結孔１５４が形成されている。このように、カメラアセンブリ１５０が複数の箇所で固定されることによって、堅固に支持されるだけでなく、組立も簡単になる。
【００７２】
カメラアセンブリ１５０の一側には、カメラアセンブリ１５０を回路基板１４１に電気的に接続させるフレキシブルプリント基板１５５が備えられ、フレキシブルプリント基板１５５の端部及び回路基板１４１には、相互接続のためのコネクタ１５６、１４５がそれぞれ備えられている。
【００７３】
図４は図３のカメラアセンブリの分解斜視図である。
【００７４】
図４に示すように、カメラアセンブリ１５０は、カメラ１６０と、カメラ１６０を回転させる駆動力を発生する駆動部１８０と、カメラ１６０と駆動部１８０とを一体に組立できるように、カメラ１６０を回転可能に支持して駆動部１８０を固定し、第２本体１２０に締結されるハウジング１９０、２００とを含む。
【００７５】
ハウジング１９０、２００は、第１ハウジング１９０と第２ハウジング２００とから構成され、第１ハウジング１９０及び第２ハウジング２００は、カメラ１６０の回転空間を提供する第１収容部１９４、２０４と、駆動部１８０を収容する第２収容部１９６、２０６とを部分的に含んでいる。第１ハウジング１９０と第２ハウジング２００とが結合されることによって、カメラ１６０と駆動部１８０とが一体に組み立てられて固定されるため、基本的な動作要素であるカメラ１６０と駆動部１８０とを安定して装着するために必要な様々な固定手段を節約できる。
【００７６】
第１収容部１９４、２０４は、カメラレンズ１６１がその回転角によって外部に露出するように、前後両方向に開口１９２、２０２が形成されている。
【００７７】
カメラ１６０は、その一端に駆動部１８０から動力が伝達される第１シャフト１６３が形成され、他端にはカメラ１６０をハウジング１９０、２００に回転可能に支持する第２シャフト１６４が形成されている。また、第１収容部１９４、２０４の両端には、第１シャフト１６３及び第２シャフト１６４をそれぞれ回転可能に支持する第１シャフト支持部１９８、２０８及び第２シャフト支持部１９７、２０７がそれぞれ形成されている。
【００７８】
第２収容部１９６、２０６は、第１収容部１９４、２０４と第１シャフト支持部１９８、２０８を介して連通するように形成されている。
【００７９】
駆動部１８０は、第２収容部１９６、２０６に収容されて固定されており、好ましくは、カメラ１６０の第１シャフト１６３及び第２シャフト１６４と同じ方向に配置することにより、動力を伝達するための部品を節約できる。
【００８０】
駆動部１８０としては、電気により動作する電動モータを使用でき、この場合、減速回転が可能なギヤードモータの形態を使用できる。
【００８１】
第１シャフト１６３の端部には、駆動部１８０の回転軸１８２が挿入されて動力を伝達できるように、回転軸１８２が連結される連結溝部１６５が形成されている。
【００８２】
連結溝部１６５と駆動部１８０の回転軸１８２との間には、連結溝部１６５の磨耗又は変形の防止、及び正確な動力の伝達のために、磨耗防止部材１８５が設けられる。従って、駆動部１８０の回転軸１８２の回転が変更されることによって加えられる衝撃により連結溝部１６５と回転軸１８２との間に隙間が発生して信頼性が低下することを防止できる。
【００８３】
図５は図４のカメラの回転制限部を説明するための斜視図であり、図６は図５のハウジングの側面図である。
【００８４】
図に示すように、カメラ１６０の第１シャフト１６３と駆動部１８０との間には、カメラ１６０が一定の回転角度で回転できるように、回転制限部が形成されている。
【００８５】
より詳細には、前記回転制限部は、第１シャフト１６３に円弧形のグルーブ状に形成されるレール溝部１６６と、第２ハウジング２００に突設されてレール溝部１６６の両端が係止されて停止する停止突起２０５とから構成される。従って、カメラ１６０の回転角度はレール溝部１６６の長さにより制限され、停止突起２０５がレール溝部１６６の両端に至ったときにカメラ１６０の回転は停止する。
【００８６】
好ましくは、レール溝部１６６の両端には、停止突起２０５の衝撃を緩和させる緩衝部材１６７が形成されている。カメラ１６０は、駆動部１８０により機械的に回転するので、回転停止地点で発生する頻繁な衝撃を緩和することにより、カメラ１６０の損傷を防止できる。このような緩衝部材１６７は、ラバーやシリコーンゴムなどの弾性材質で形成できる。
【００８７】
図７は図６のハウジングの第２シャフト側の側面斜視図であり、図８は図７のハウジングの第２シャフト側の断面図である。
【００８８】
図に示すように、カメラ１６０の第２シャフト１６４には、カメラ１６０の回転時に巻かれたり解かれたりし、カメラ１６０を回路基板１４１に接続するフレキシブルプリント基板１５５が備えられている。
【００８９】
フレキシブルプリント基板１５５は、カメラ１６０の中心側に形成された引出孔１７０から出て進行方向が９０°変換された後に巻かれるように設けられており、ハウジング１９０、２００に形成された開口２０９から外部に引き出された状態になっている。
【００９０】
第２シャフト１６４には、フレキシブルプリント基板１５５の内輪部分が巻かれないように巻き制限部１７２が形成されている。より詳細には、巻き制限部１７２は、フレキシブルプリント基板１５５の内輪部分が所定長さのループ状に挟まれて固定されるように、巻き軸１７３と、巻き軸１７３の一側に狭い間隔をおいて配置される加圧突起１７４とから構成される。
【００９１】
すなわち、引出孔１７０から出たフレキシブルプリント基板１５５は、一次的に巻き制限部１７２により固定された後、第２シャフト１６４の回転によって、共に回転する巻き軸１７３に巻かれたり解かれたりする。
【００９２】
以下、このように構成された本発明の第１実施形態による携帯端末機の動作を説明する。
【００９３】
第２本体１２０の背面側に位置する被写体の写真又は動画像を撮影しようとする場合は、図２に示すように、カメラ１６０のカメラレンズ１６１を第２本体１２０の背面に形成された開口１３３から外部に露出した状態で、ディスプレイ１１３に表示された画像を見ながらキーパッド１１７を操作して被写体に焦点を合わせて撮影すればよい。
【００９４】
一方、第２本体１２０の前面側に位置するユーザ自身などの被写体の写真又は動画像を撮影しようとする場合は、図１に示すように、第１本体１１０を第２本体１２０からスライドダウンして、カメラ１６０のカメラレンズ１６１を第２本体１２０の前面に形成された開口１２３から外部に露出させる。その後、ディスプレイ１１３に表示された画像を見ながらキーパッド１１７を操作して被写体に焦点を合わせて撮影すればよい。
【００９５】
従って、ユーザが直接カメラ１６０を回す必要なく、駆動部１８０によりカメラ１６０が自動で前後方に回転するため、ユーザの便宜が図れる。また、カメラ１６０の回転は、第１本体１１０に設けられたキーパッド１１７を操作することにより行うこともできる。
【００９６】
図９は本発明の第２実施形態による携帯端末機の斜視図である。
【００９７】
図９に示すように、本発明の第２実施形態による携帯端末機３００は、第１本体３１０が第２本体３２０からスライドアップして第２本体３２０を開放させるようになっている。また、カメラアセンブリ３５０は、第１本体３１０の上端に位置している。カメラアセンブリ３５０の構成は、前述した第１実施形態のカメラアセンブリ１５０と類似しているため、その詳細な説明は省略する。
【００９８】
カメラ３６０は、第２本体３２０が開くと、第１本体３１０の後方を向くように回転し、第２本体３２０が閉じると、第１本体３１０の前方を向くように回転可能に設けられている。
【００９９】
また、カメラ３６０の回転は、第１本体３１０に設けられたキーパッド３１７を操作することにより行うこともできる。
【０１００】
図１０は本発明の第３実施形態による携帯端末機の斜視図である。
【０１０１】
図１０に示すように、本発明の第３実施形態による携帯端末機４００は、カメラアセンブリ４５０が、ストレートタイプの端末機本体４１０に前後両方向を向くことができるように設けられている。
【０１０２】
この場合、カメラ４６０の回転は、端末機本体４１０に設けられたキーパッド４１７、４２１を操作することにより行われる。
【０１０３】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【０１０４】
カメラを安定して回転させることができ、組立が簡単な携帯端末機を提供する。
【０１０５】
携帯端末機は、端末機本体と、端末機本体に装着されるカメラアセンブリとを含み、カメラアセンブリは、カメラと、カメラを回転させる駆動力を発生する駆動部と、カメラと駆動部とを一体に組立できるように、カメラを回転可能に支持して駆動部を固定し、端末機本体に締結されるハウジングとを含む。
【図面の簡単な説明】
【０１０６】
【図１】本発明の第１実施形態による携帯端末機の斜視図である。
【図２】図１のカメラアセンブリのカメラが後方を向いた状態を示す背面斜視図である。
【図３】図１の第２本体のカメラアセンブリ領域の分離斜視図である。
【図４】図３のカメラアセンブリの分解斜視図である。
【図５】図４のカメラの回転制限部を説明するための斜視図である。
【図６】図５のハウジングの側面図である。
【図７】図６のハウジングの第２シャフト側の側面斜視図である。
【図８】図７のハウジングの第２シャフト側の断面図である。
【図９】本発明の第２実施形態による携帯端末機の斜視図である。
【図１０】本発明の第３実施形態による携帯端末機の斜視図である。
【図１１】従来の携帯端末機の斜視図である。
【符号の説明】
【０１０７】
１００  携帯端末機
１１０  第１本体
１１３  ディスプレイ
１１５  レシーバ
１１７  キーパッド
１２０  第２本体
１２２  フロントケース
１２３  開口
１３２  リアケース
１３３  開口
１３５  バッテリ
１４１  回路基板
１４２  開口
１４３  締結孔
１４５  コネクタ
１５０  カメラアセンブリ
１５３  １次固定用締結孔
１５４  ２次固定用締結孔
１５５  フレキシブルプリント基板
１５６  コネクタ
１６０  カメラ
１６１  カメラレンズ
１６３  第１シャフト
１６４  第２シャフト
１６５  連結溝部
１６６  レール溝部
１６７  緩衝部材
１７０  引出孔
１７２  巻き制限部
１７３  巻き軸
１７４  加圧突起
１８０  駆動部
１８２  回転軸
１８５  磨耗防止部材
１９０  第１ハウジング
１９２  開口
１９４  第１収容部
１９６  第２収容部
１９８  第１シャフト支持部
１９７  第２シャフト支持部
２００  第２ハウジング
２０２  開口
２０４  第１収容部
２０５  停止突起
２０６  第２収容部
２０８  第１シャフト支持部
２０７  第２シャフト支持部
２０９  開口
【図１】
2007028626.tif 000003
【図２】
2007028626.tif 000004
【図３】
2007028626.tif 000005
【図４】
2007028626.tif 000006
【図５】
2007028626.tif 000007
【図６】
2007028626.tif 000008
【図７】
2007028626.tif 000009
【図８】
2007028626.tif 000010
【図９】
2007028626.tif 000011
【図１０】
2007028626.tif 000012
【図１１】
2007028626.tif 000013